(57)【要約】【課題】リーダライタとしての機能と非接触ＩＣ媒体としての機能を併有するリーダライタを提供する。【解決手段】搬送波を送出する搬送波送出部１２と、外部搬送波を受信する搬送波受信部と、搬送波受信部の出力レベルに基づいて非接触ＩＣ媒体の近接を検査（検出）する第１検査部２０と、搬送波受信部の出力レベルに基づいて外部リーダライタの近接を検査（検出）する第２検査部２１を有し、第１検査部２０が非接触ＩＣ媒体を検出した場合に非接触ＩＣ媒体との間で通信を行い、第２検査部２１が外部リーダライタを検出した場合に外部リーダライタと通信を行う。【選択図】  図２
2013218493.tif 000002
【特許請求の範囲】
【請求項１】
非接触ＩＣ媒体との間で通信するリーダライタ動作と、外部リーダライタとの間で通信する非接触ＩＣ媒体動作と、を行うことが可能なリーダライタであって、
搬送波を送出する搬送波送出手段と、
搬送波を受信し、受信レベルに対応する信号レベルの信号を出力する搬送波受信手段と、
前記搬送波受信手段の出力信号の信号レベルに基づいて前記非接触ＩＣ媒体の近接を検出する第１検出手段と、
前記搬送波受信手段の出力信号の信号レベルに基づいて前記外部リーダライタの近接を検出する第２検出手段と、
前記第１検出手段が前記非接触ＩＣ媒体を検出した場合に前記リーダライタ動作を行い、前記第２検出手段が前記外部リーダライタを検出した場合に前記非接触ＩＣ媒体動作を行う動作手段と、
を備えることを特徴とするリーダライタ。
【請求項２】
前記第１、第２検出手段の前段に配置され、前記搬送波受信手段の出力を減衰させる減衰手段と、
前記減衰手段の有効／無効を制御する減衰制御手段を更に備え、
前記減衰制御手段は、前記第１検出手段が前記非接触ＩＣ媒体の近接を検出する際に、前記減衰手段を無効にする、
ことを特徴とする請求項１に記載のリーダライタ。
【請求項３】
前記第１検出手段は、前記搬送波送出手段からの搬送波の送出をオンにした状態で前記非接触ＩＣ媒体の近接を検出し、
前記第２検出手段は、前記搬送波送出手段からの搬送波の送出をオフにした状態で前記外部リーダライタの近接を検出する、
ことを特徴とする請求項１又は２に記載のリーダライタ。
【請求項４】
前記搬送波送出手段から送出される搬送波の出力レベルを制御する搬送波レベル制御手段を更に備え、
前記搬送波レベル制御手段は、
前記リーダライタ動作の際には、前記搬送波送出手段から送出される搬送波の出力レベルを第１のレベルに制御し、
前記第１検出手段による前記非接触ＩＣ媒体の近接の検出の際には、前記搬送波送出手段から送出される搬送波の出力レベルを前記第１のレベルよりも低い第２のレベルに制御する、
ことを特徴とする請求項３に記載のリーダライタ。
【請求項５】
前記搬送波受信手段の出力信号の信号レベルを基準電圧と比較することにより前記外部リーダライタの近接を検出する第３検出手段を更に有し、
前記第２検出手段は、前記搬送波受信手段の出力レベルの変化に基づいて前記外部リーダライタの近接を検出する、
ことを特徴とする請求項１乃至４のいずれか一項に記載のリーダライタ。
【請求項６】
前記第１検出手段は、前記第２検出手段が前記外部リーダライタの近接を検出しなかった場合に、前記非接触ＩＣ媒体の近接を検出する、
ことを特徴とする請求項１乃至５のいずれか一項に記載のリーダライタ。
【請求項７】
前記動作手段は、
ＣＰＵ（Central Processing Unit）と、
前記ＣＰＵの省電力状態と動作状態の切り替えを制御し、前記省電力状態の前記ＣＰＵを間欠的に前記動作状態に移行させる省電力状態制御手段と、を更に備え、
前記第１及び／又は第２検出手段は、前記省電力状態制御手段が前記ＣＰＵを前記動作状態に移行させた際に前記外部リーダライタ及び／又は前記非接触ＩＣ媒体の近接を検出し、
前記省電力状態制御手段は、前記第１及び／又は第２検出手段により前記外部リーダライタ及び／又は前記非接触ＩＣ媒体が検出されなかった場合に、前記ＣＰＵを前記省電力状態に移行させる、
ことを特徴とする請求項１乃至６のいずれか一項に記載のリーダライタ。
【請求項８】
非接触ＩＣ媒体との間で通信するリーダライタ動作と、外部リーダライタとの間で通信する非接触ＩＣ媒体動作と、を行うことが可能なコンピュータを、
搬送波を送出する搬送波送出手段、
搬送波を受信し、受信レベルに対応する信号レベルの信号を出力する搬送波受信手段、
前記搬送波受信手段の出力信号の信号レベルに基づいて前記非接触ＩＣ媒体の近接を検出する第１検出手段、
前記搬送波受信手段の出力信号の信号レベルに基づいて前記外部リーダライタの近接を検出する第２検出手段、
前記第１検出手段が前記非接触ＩＣ媒体を検出した場合に前記リーダライタ動作を行い、前記第２検出手段が前記外部リーダライタを検出した場合に前記非接触ＩＣ媒体動作を行う動作手段、
として機能させることを特徴とするプログラム。
【発明の詳細な説明】
【技術分野】
【０００１】
本発明は、非接触ＩＣカード等の媒体（非接触ＩＣ媒体）との間で情報の送受信が可能なリーダライタ及びリーダライタを動作させるためのプログラムに関する。
【背景技術】
【０００２】
非接触ＩＣ媒体は、交通機関で使用される電子乗車券やプリペイドカード、個人認証カード等として広く利用されている。非接触ＩＣ媒体は、改札や商業施設、店舗等に設置されているリーダライタに近接させることで、そのリーダライタから放出される搬送波を介してリーダライタと通信を行い、決済等の処理を実行することが可能である（例えば、特許文献１参照）。非接触ＩＣ媒体の形態は、ＩＣカードや携帯電話、スマートフォン等様々である。
【先行技術文献】
【特許文献】
【０００３】
【特許文献１】特開２００７−２４１５３８号公報
【発明の概要】
【発明が解決しようとする課題】
【０００４】
このようなリーダライタは、非接触ＩＣ媒体と通信する専用装置として使用されているものであり、リーダライタとしての機能（非接触ＩＣ媒体と通信する機能）と非接触ＩＣ媒体としての機能（リーダライタと通信する機能）を併有するリーダライタは従来知られていなかった。
【０００５】
本発明は、上記状況の下で、以下のいずれか一以上の目的を達成するためになされたものである。
【０００６】
本発明の一つの目的は、リーダライタとしての機能と非接触ＩＣ媒体としての機能を併有するリーダライタを提供することである。
【０００７】
本発明の他の目的は、リーダライタとしての機能と非接触ＩＣ媒体としての機能を併有するとともに、消費電力を少なくすることが可能なリーダライタを提供することである。
【０００８】
本発明の更に他の目的は、リーダライタとしての機能と非接触ＩＣ媒体としての機能を併有するとともに、リーダライタ及び／又は非接触ＩＣ媒体の近接を高精度で検出することが可能なリーダライタを提供することである。
【課題を解決するための手段】
【０００９】
上記目的を達成するため、本発明の第１の観点に係るリーダライタは、
非接触ＩＣ媒体との間で通信するリーダライタ動作と、外部リーダライタとの間で通信する非接触ＩＣ媒体動作と、を行うことが可能なリーダライタであって、
搬送波を送出する搬送波送出手段と、
搬送波を受信し、受信レベルに対応する信号レベルの信号を出力する搬送波受信手段と、
前記搬送波受信手段の出力信号の信号レベルに基づいて前記非接触ＩＣ媒体の近接を検出する第１検出手段と、
前記搬送波受信手段の出力信号の信号レベルに基づいて前記外部リーダライタの近接を検出する第２検出手段と、
前記第１検出手段が前記非接触ＩＣ媒体を検出した場合に前記リーダライタ動作を行い、前記第２検出手段が前記外部リーダライタを検出した場合に前記非接触ＩＣ媒体動作を行う動作手段と、
を備えることを特徴とする。
【００１０】
前記第１、第２検出手段の前段に配置され、前記搬送波受信手段の出力を減衰させる減衰手段と、前記減衰手段の有効／無効を制御する減衰制御手段を更に備え、前記減衰制御手段は、前記第１検出手段が前記非接触ＩＣ媒体の近接を検出する際に、前記減衰手段を無効にすることが好ましい。
【００１１】
前記第１検出手段は、前記搬送波送出手段からの搬送波の送出をオンにした状態で前記非接触ＩＣ媒体の近接を検出し、前記第２検出手段は、前記搬送波送出手段からの搬送波の送出をオフにした状態で前記外部リーダライタの近接を検出することが好ましい。
【００１２】
前記搬送波送出手段から送出される搬送波の出力レベルを制御する搬送波レベル制御手段を更に備え、前記搬送波レベル制御手段は、前記リーダライタ動作の際には、前記搬送波送出手段から送出される搬送波の出力レベルを第１のレベルに制御し、前記第１検出手段による前記非接触ＩＣ媒体の近接の検出の際には、前記搬送波送出手段から送出される搬送波の出力レベルを前記第１のレベルよりも低い第２のレベルに制御することが好ましい。
【００１３】
前記搬送波受信手段の出力信号の信号レベルを基準電圧と比較することにより前記外部リーダライタの近接を検出する第３検出手段を更に有し、前記第２検出手段は、前記搬送波受信手段の出力レベルの変化に基づいて前記外部リーダライタの近接を検出することが好ましい。
【００１４】
前記第１検出手段は、前記第２検出手段が前記外部リーダライタの近接を検出しなかった場合に、前記非接触ＩＣ媒体の近接を検出することが好ましい。
【００１５】
前記動作手段は、ＣＰＵ（Central Processing Unit）と、前記ＣＰＵの省電力状態と動作状態の切り替えを制御し、前記省電力状態の前記ＣＰＵを間欠的に前記動作状態に移行させる省電力状態制御手段と、を更に備え、前記第１及び／又は第２検出手段は、前記省電力状態制御手段が前記ＣＰＵを前記動作状態に移行させた際に前記外部リーダライタ及び／又は前記非接触ＩＣ媒体の近接を検出し、前記省電力状態制御手段は、前記第１及び／又は第２検出手段により前記外部リーダライタ及び／又は前記非接触ＩＣ媒体が検出されなかった場合に、前記ＣＰＵを前記省電力状態に移行させることが好ましい。
【００１６】
上記目的を達成するため、本発明の第２の観点に係るプログラムは、
非接触ＩＣ媒体との間で通信するリーダライタ動作と、外部リーダライタとの間で通信する非接触ＩＣ媒体動作と、を行うことが可能なコンピュータを、
搬送波を送出する搬送波送出手段、
搬送波を受信し、受信レベルに対応する信号レベルの信号を出力する搬送波受信手段、
前記搬送波受信手段の出力信号の信号レベルに基づいて前記非接触ＩＣ媒体の近接を検出する第１検出手段、
前記搬送波受信手段の出力信号の信号レベルに基づいて前記外部リーダライタの近接を検出する第２検出手段、
前記第１検出手段が前記非接触ＩＣ媒体を検出した場合に前記リーダライタ動作を行い、前記第２検出手段が前記外部リーダライタを検出した場合に前記非接触ＩＣ媒体動作を行う動作手段、
として機能させることを特徴とする。
【図面の簡単な説明】
【００１７】
【図１】本発明の一実施形態に係るリーダライタの使用態様を示す説明図である。
【図２】本発明の一実施形態に係るリーダライタの内部構成を概略的に示す説明図である。
【図３】リーダライタの例示的な回路構成を示す説明図である。
【図４】リーダライタの例示的な動作態様を示すフローチャートである。
【図５】例示的な非接触ＩＣ媒体動作を示すフローチャートである。
【図６】例示的なリーダライタ動作を示すフローチャートである。
【発明を実施するための形態】
【００１８】
以下、本発明の実施形態に係るリーダライタを図面を参照して説明する。
【００１９】
図１は、本発明の一実施形態に係るリーダライタ１の使用態様を示す説明図である。
図示するように、本実施形態のリーダライタ１は、非接触ＩＣ媒体２が近接した場合には、非接触ＩＣ媒体２と通信を行うことにより、非接触ＩＣ媒体２からの情報読取や非接触ＩＣ媒体２への情報書込等を行うリーダライタとして機能する。非接触ＩＣ媒体２としては、ＲＦＩＤタグ等の非接触ＩＣカードや非接触ＩＣチップを搭載した携帯電話、スマートフォン等が使用可能である。
また、リーダライタ１は、外部リーダライタ３が近接した場合には、外部リーダライタ３と通信を行うことにより、リーダライタ１に記録された情報の外部リーダライタ３への送信やその書き換え等を行う非接触ＩＣ媒体として機能する。
【００２０】
図２は、リーダライタ１の内部構成を概略的に示す説明図である。図３は、同リーダライタ１の例示的な回路構成を示す説明図であり、図２の要素に対応する要素には同様の符号が付されている。
【００２１】
本例のリーダライタ１は、リーダライタ１の動作を制御する制御部１１を有する。制御部１１は、ＣＰＵ（Central Processing Unit）及び記憶装置を備え得る。ＣＰＵは、以下の処理を実行することに加え、リーダライタ１全体の動作を統括制御する。記憶装置は、ＲＯＭ、ＲＡＭ、ハードディスク、フラッシュメモリ等の公知の記憶装置を単独又は組み合わせて構成することができる。制御部１１は、更に計時機能を有するタイマを備え得る。タイマは、クロック回路などから構成され得る。
【００２２】
搬送波送出部１２は、非接触ＩＣ媒体２や外部リーダライタ３と通信するための搬送波を送出するものである。搬送波の周波数は、例えば、１３．５６ＭＨｚとすることができる。
【００２３】
アンテナマッチング部１３は、アンテナ１４に１３．５６ＭＨｚ等の高周波を流すためのインピーダンスコントロール回路とすることができる。アンテナ１４は、スパイラルパターンアンテナで構成され得る。
【００２４】
搬送波レベル制御部１５は、搬送波送出部１２から送出される例えば１３．５６ＭＨｚの搬送波の出力レベルを制御するものである。出力レベルは連続的に制御しても良いが、本実施形態の搬送波レベル制御部１５は、第１のレベルと、第１のレベルよりも低い第２のレベルの２段階で出力レベルを制御する。
【００２５】
搬送波振幅変調部１６は、搬送波の振幅を変調するものである。後述するリーダライタ動作（ステップＳ１１０）の際には、搬送波送出部１２から送出される搬送波の振幅を、送信対象の信号（ベースバンド信号）に従って変調し（ＡＳＫ（Amplitude Shift Keying）変調し）、後述する非接触ＩＣ媒体動作（ステップＳ１０５）の際には、外部から受信する搬送波の振幅を変調する。
【００２６】
搬送波検波平滑部１７は、アンテナ１４で受信した例えば１３．５６ＭＨｚの搬送波を検波平滑するものであり、受信した搬送波の強度に対応する信号レベル（電圧）の信号を出力する搬送波受信手段を構成する。搬送波受信手段は、更に、アンテナ１４及び／又は減衰器１８を含み得る。ダイオード及びその後段においてグラウンドとの間に接続されたコンデンサにより搬送波検波平滑部１７を構成することにより、正の電圧のピークホールドに近い動作での包絡線検波を行うことが可能である。本実施形態の搬送波検波平滑部１７は、第１〜第３検査部２０〜２２及び受信信号増幅部２３の共用となっている。
【００２７】
減衰器１８は、抵抗分圧等を利用して搬送波検波平滑部１７の出力を減衰させるものである。減衰器１８は、減衰制御部１９の制御により、有効／無効を切り替えることが可能である。無効が設定されている場合、減衰器１８は、搬送波検波平滑部１７の出力をほとんど減衰させることなく、そのまま出力する。有効が設定されている場合、減衰器１８は、搬送波検波平滑部１７の出力を、所定の減衰率で減衰させて出力する。本実施形態の減衰器１８は、包絡線検波のための放電抵抗を兼ねている。
【００２８】
第１検査部（第１検出部）２０は、搬送波検波平滑部１７の出力レベルに基づいて非接触ＩＣ媒体２の近接を検出する。ここでの検出の方法は任意であるが、本実施形態では、第１検査部２０は、搬送波検波平滑部１７の出力をＡ／Ｄ変換することによって、搬送波送出部１２から送出される搬送波のレベルをモニタし、搬送波レベルの変化、例えば、所定期間内に一定のレベル以上搬送波レベルが変化したこと、一定時間以上変化が継続していること、等によって非接触ＩＣ媒体２の近接を判断する。搬送波検波平滑部１７の出力レベルは、非接触ＩＣカードの共振回路や携帯電話、スマートフォン等の金属体に反応するため、これらのいずれも検出することが可能である。
【００２９】
第２検査部（第２検出部）２１は、搬送波検波平滑部１７の出力レベルに基づいて外部リーダライタ３の近接を検出する。ここでの検出の方法は任意であるが、本実施形態では、第２検査部２１は、搬送波検波平滑部１７の出力をＡ／Ｄ変換することによって、外部リーダライタ３からの外部搬送波のレベルをモニタし、外部搬送波レベルの変化によって外部リーダライタ３の近接を判断する。
【００３０】
第１，第２検査部２０，２１は、上記Ａ／Ｄ変換を行うためのＡ／Ｄ変換手段を有し得る。この場合、第１，第２検査部２０，２１は、単一のＡ／Ｄ変換部を共用しても良いし、個別のＡ／Ｄ変換部を備えても良い。
【００３１】
本実施形態の第１，第２検査部２０，２１は、ＣＰＵによるプログラム動作が必要であるが、多値による判断であるため、高精度で非接触ＩＣ媒体、外部リーダライタを検出することが可能である。
【００３２】
第３検査部（第３検出部）２２は、搬送波検波平滑部１７の出力を比較的高めの基準電圧と比較することにより、外部リーダライタ３の近接を検出する。第３検査部２２は、プログラム動作が不要であるため、ＣＰＵが省電力状態でも外部リーダライタ３の検出が可能であるが、２値による判断であるため第２検査部２１と比較すると感度が低い。
【００３３】
受信信号増幅部２３は、搬送波検波平滑部１７の出力を増幅することにより、搬送波に含まれる情報の読み取りを行うものである。搬送波の受信の際には、減衰器１８を有効にして搬送波検波平滑部１７の放電抵抗を小さくすることで、効率的な包絡線検波を行うことが可能である。
【００３４】
外部搬送波クロック再生部２４は、外部リーダライタ３による外部搬送波を波形整形することでクロックを生成するものである。生成されたクロックは、外部リーダライタと通信する際の同期クロックとして使用される。
【００３５】
電源制御部２５は、受信信号増幅部２３、外部搬送波クロック再生部２４等の電源を動的にオン／オフ制御する。
【００３６】
上記搬送波レベル制御部１５、搬送波振幅変調部１６、減衰制御部１９、第１，第２検査部２０，２１等の機能は、制御部１１に組み込むことも可能である。
【００３７】
図４は、本実施形態に係るリーダライタ１の例示的な動作態様を示すフローチャートである。ここでは、初期状態（ステップＳ１０１）において、ＣＰＵが省電力状態にあるものとして説明する。
【００３８】
ステップＳ１０１では、ＣＰＵは省電力状態であり、搬送波送出部１２の出力はオフとされ、減衰器１８は有効に切り替えられている。
【００３９】
ステップＳ１０２，１０３では、定期的にＣＰＵを動作状態に移行させる処理が実行される。すなわち、ステップＳ１０２では、所定時間が経過したか否かが判断され、当該所定時間が経過した時点でステップＳ１０３に移行し、ＣＰＵが動作状態に移行する。
【００４０】
続くステップＳ１０４では、第２検査部２１が搬送波検波平滑部１７で受信した搬送波のレベルをモニタし、外部搬送波レベルの変化によって外部リーダライタ３の近接を検査（検出）する。このとき、搬送波送出部１２の出力はオフに、減衰器１８は有効に維持される。
【００４１】
ステップＳ１０４において外部リーダライタ３が検出された場合（Ｙｅｓ）には、処理はステップＳ１０５に移行し、外部リーダライタ３との通信を行う非接触ＩＣ媒体動作が実行される。なお、第３検査部２２は、ＣＰＵが省電力状態（ステップＳ１０１）でも外部リーダライタ３の近接を検知することが可能であり、ステップＳ１０１において第３検査部２２が外部リーダライタ３の近接を検出した場合にも、処理はステップＳ１０５に移行する。
【００４２】
ステップＳ１０４において外部リーダライタ３が検出されなかった場合（Ｎｏ）には、ステップＳ１０６において減衰制御部１９により減衰器１８が無効に切り替えられ、続くステップＳ１０７では、搬送波送出部１２からの搬送波の送出がオンに切り替えられる。このとき、搬送波レベル制御部１５は、搬送波の出力レベルを比較的低い第２のレベルに制御する。
【００４３】
続くステップＳ１０８では、第１検査部２０が搬送波検波平滑部１７で受信した搬送波のレベルをモニタし、搬送波レベルの変化によって非接触ＩＣ媒体２の近接を検査（検出）する。
【００４４】
このように、ステップＳ１０８の検査（検出）では、比較的低い第２のレベルの搬送波が使用されるため、非接触ＩＣ媒体２の検出に係る電力消費を低減することが可能である。また、搬送波レベルを低くするほど第１検査部への入力信号のダイナミックレンジが狭くなるが、減衰器１８を無効にする（ステップＳ１０６）ことによって入力信号のダイナミックレンジが改善される。
【００４５】
ステップＳ１０８において非接触ＩＣ媒体２が検出された場合（Ｙｅｓ）、ステップＳ１０９で減衰器１８が有効に切り替えられた後に、処理はステップＳ１１０に移行し、非接触ＩＣ媒体２との通信を行うリーダライタ動作が実行される。
【００４６】
ステップＳ１０８において非接触ＩＣ媒体２が検出されなかった場合（Ｎｏ）、ステップＳ１１１で減衰器１８が有効に切り替えられた後に、処理はステップＳ１０１に移行し、ＣＰＵは省電力状態となる。
【００４７】
図５は、リーダライタ１において実行される例示的な非接触ＩＣ媒体動作（ステップＳ１０５）を示すフローチャートである。
【００４８】
非接触ＩＣ媒体動作が開始されると、ステップＳ２０１において所定時間に渡って外部リーダライタ３からのコマンドの受信が待ち受けられる。そして、所定時間内に当該コマンドを受信しなかった場合（Ｎｏ）には、ステップＳ２０２において第２検査手段により外部リーダライタ３の近接が検査（検出）され、外部リーダライタ３が検出された場合（Ｙｅｓ）はステップＳ２０１が再度実行され、検出されなかった場合（Ｎｏ）は、ＣＰＵは省電力状態（ステップＳ１０１）となる。
【００４９】
ステップＳ２０１において外部リーダライタ３からのコマンドを受信した場合（Ｙｅｓ）は、ステップＳ２０３において、レスポンスの送信など、コマンドに応じた処理が実行される。ステップＳ２０３の処理が完了すると、ＣＰＵは省電力状態（ステップＳ１０１）となる。
【００５０】
非接触ＩＣ媒体動作の実行中（ステップＳ２０１〜２０３）は、減衰器１８は有効に維持され、搬送波送出部１２の出力はオフとされる。
【００５１】
図６は、リーダライタ１において実行される例示的なリーダライタ動作（ステップＳ１１０）を示すフローチャートである。
【００５２】
リーダライタ動作が開始すると、ステップＳ３０１において搬送波送出部１２から所定時間に渡ってポーリングコマンドの送信と、それに対する非接触ＩＣ媒体２からのレスポンスの待受が実行され、レスポンスを受信しなかった場合（Ｎｏ）には、ＣＰＵは省電力状態（ステップＳ１０１）となる。
【００５３】
ステップＳ３０１において非接触ＩＣ媒体２からのレスポンスを受信した場合（Ｙｅｓ）は、ステップＳ３０２において、ポーリング以外のコマンドを送信し、それに対する非接触ＩＣ媒体２からのレスポンスを受信する等の処理が実行される。ステップＳ３０２における非接触ＩＣ媒体２との通信が完了した場合、或いは、非接触ＩＣ媒体２からのレスポンスが所定時間以上に渡って無い場合には、ＣＰＵは省電力状態（ステップＳ１０１）となる。
【００５４】
リーダライタ動作の実行中（ステップＳ３０１，Ｓ３０２）は、減衰器１８は有効に維持され、搬送波送出部１２から送出される搬送波のレベルは第２のレベルよりも高い第１のレベルに設定される。
【００５５】
このように、本発明の実施形態に係るリーダライタ１では、第１検査部２０が非接触ＩＣ媒体２を検出した場合にリーダライタ動作を行い、第２検査部２１が外部リーダライタ３を検出した場合に非接触ＩＣ媒体動作を行うため、リーダライタとしての機能と非接触ＩＣ媒体としての機能を併有するリーダライタを実現することができる。
【００５６】
また、本発明の実施形態に係るリーダライタ１では、搬送波検波平滑部１７の出力を減衰させる減衰器１８を備えることにより、搬送波検波平滑部１７や外部リーダライタ３からの搬送波によって第１検査部２０及び／又は第２検査部２１に過電圧が印加されることを防ぐことができる。この減衰器１８は、例えば、第１，第２検査部２０，２１が搬送波検波平滑部１７の出力をＡ／Ｄ変換するＡ／Ｄ変換手段を有する場合に特に有用となる。
【００５７】
また、本発明の実施形態に係るリーダライタ１では、第１検査部２０が非接触ＩＤ媒体２の近接を検査（検出）する際に、減衰制御部１９が減衰器１８を無効に制御する。従って、第１検査部２０への入力信号のダイナミックレンジを改善することが可能となる。このことは、省電力化等のために、非接触ＩＣ媒体２の近接の検査（検出）の際に搬送波送出部１２が送出する搬送波の出力レベルを低くする場合に特に有用となる。
【００５８】
また、本発明の実施形態に係るリーダライタ１では、第１検査部２０は、搬送波送出部１２からの搬送波の送出をオンにした状態で非接触ＩＣ媒体２の近接を検査（検出）し、第２検査部２１は、搬送波送出部１２からの搬送波の送出をオフにした状態で外部リーダライタ３の近接を検査（検出）する。従って、搬送波送出部１２からの搬送波が非接触ＩＣ媒体２の近接を検査（検出）する際にのみ送出されるため、消費電力の低減を図ることが可能となる。
【００５９】
また、本発明の実施形態に係るリーダライタ１は、搬送波送出部１２から送出される搬送波の出力レベルを制御する搬送波レベル制御部１５を備える。そして、搬送波レベル制御部１５は、リーダライタ動作の際には、搬送波送出部１２から送出される搬送波の出力レベルを第１のレベルに制御し、第１検査部２０による前記非接触ＩＣ媒体２の近接の検査（検出）の際には、搬送波送出部１２から送出される搬送波の出力レベルを第１のレベルよりも低い第２のレベルに制御する。従って、非接触ＩＣ媒体２の近接の検査（検出）の際に搬送波送出部１２が送出する搬送波の出力レベルがリーダライタ動作における第１のレベルよりも低い第２のレベルに制御される。これにより、一層の消費電力の低減することが可能となる。
【００６０】
また、本発明の実施形態に係るリーダライタ１は、搬送波検波平滑部１７の出力レベルを基準電圧と比較することにより外部リーダライタ３の近接を検査（検出）する第３検査部２２を更に有し、第２検査部２１は、搬送波検波平滑部１７の出力レベルの変化に基づいて外部リーダライタ３の近接を検査（検出）する。従って、第２検査部２１は、搬送波検波平滑部１７の出力レベルの変化に基づいて外部リーダライタ３の近接の検査（検出）を行うため、高精度で外部リーダライタ３を検出することが可能となる。一方、第３検査部２２は、搬送波検波平滑部１７の出力を基準電圧と比較するものであるため、プログラム動作が不要である。そのため、搬送波検波平滑部１７の出力レベルの変化を監視することにより検査（検出）を行う第２検査部２１に比べると感度は低くなるが、ＣＰＵが省電力状態でも外部リーダライタ３の近接を検査（検出）することが可能となる。このような第２，第３検査部２１、２２を併用することにより、本発明では、一層の省電力化及び／又は検出精度の向上を達成することが可能となる。
【００６１】
また、本発明の実施形態に係るリーダライタ１では、ＣＰＵの省電力状態と動作状態の切り替えを制御し、省電力状態のＣＰＵを間欠的に動作状態に移行させる省電力状態制御手段を備える。そして、第１及び／又は第２検査部２０，２１は、省電力状態制御手段がＣＰＵを動作状態に移行させた際に外部リーダライタ３及び／又は非接触ＩＣ媒体２の近接を検査（検出）し、省電力状態制御手段は、第１及び／又は第２検査部２０，２１により外部リーダライタ３及び／又は非接触ＩＣ媒体２が検出されなかった場合に、ＣＰＵを省電力状態に移行させる。従って、非接触ＩＣ媒体２及び／又は外部リーダライタ３の近接を検査（検出）する際にのみＣＰＵが動作状態に切り替えられるため、ＣＰＵによる消費電力の低減を図ることができる。
【００６２】
以上、好ましい実施形態により本発明を説明したが、本発明は、これらの実施形態に限定されるものではなく、特許請求の範囲内において任意に変更することが可能である。例えば、各実施形態における任意的構成は適宜省略することが可能であり、或いは、一の実施形態における一部又は全部の構成を他の実施形態に追加することも可能である。
【００６３】
また、本明細書における「非接触ＩＣ媒体」は、電磁誘導方式でリーダライタと通信を行うことにより、情報の読み書きを行うことが可能な媒体を意味する。非接触ＩＣ媒体の形態は、ＩＣカード、携帯電話、スマートフォン等、任意である。
【００６４】
また、本明細書における「リーダライタ」は、電磁誘導方式で非接触ＩＣ媒体と通信を行うことにより、非接触ＩＣ媒体の情報の読み書きを行うことが可能な装置を意味する。
【００６５】
また、本発明の「リーダライタ」は、据え置き型の装置で構成することが可能であり、或いは、携帯電話、スマートフォン、ＰＤＡ（Personal Digital Assistant）等の携帯型の装置で構成することが可能である。
【００６６】
また、本発明に係るリーダライタ１の動作を規定する動作プログラムを既存のパーソナルコンピュータや情報端末機器等に適用することで、当該パーソナルコンピュータ等を本発明に係るリーダライタ１として機能させることも可能である。
【００６７】
また、このようなプログラムの配布方法は任意であり、例えば、ＣＤ−ＲＯＭ（Compact Disk Read-Only Memory）、ＤＶＤ（Digital Versatile Disk）、ＭＯ（Magneto Optical Disk）、メモリカードなどのコンピュータ読み取り可能な記録媒体に格納して配布してもよいし、インターネットなどの通信ネットワークを介して配布してもよい。
【符号の説明】
【００６８】
１・・・リーダライタ
２・・・非接触ＩＣ媒体
３・・・外部リーダライタ
１１・・・制御部
１２・・・搬送波送出部
１３・・・アンテナマッチング部
１４・・・アンテナ
１５・・・搬送波レベル制御部
１６・・・搬送波振幅変調部
１７・・・搬送波検波平滑部
１８・・・減衰器
１９・・・減衰制御部
２０・・・第1検査部
２１・・・第2検査部
２２・・・第3検査部
２３・・・受信信号増幅部
２４・・・外部搬送波クロック再生部
２５・・・電源制御部
【図１】
2013218493.tif 000003
【図２】
2013218493.tif 000004
【図３】
2013218493.tif 000005
【図４】
2013218493.tif 000006
【図５】
2013218493.tif 000007
【図６】
2013218493.tif 000008